(57)【要約】  本発明は、メディアコンテンツのブロードキャストを管理するためのシステムを提供する。このシステムは、ハブにおける少なくとも1つのデータベースであって、メディアコンテンツに関連する少なくとも1つのデジタルファイルが、この少なくとも1つのデータベースの中にリレーショナルに存在するデータベースと、ブロードキャストのために、この少なくとも1つのデジタルファイルの複数のファイルの少なくともスケジューリング、編集、および配信のためのグラフィカルユーザインタフェースを提供する、ハブから遠隔のローカルメディア再生ポイントにおいてアクセス可能なコンピュータソフトウェアであって、インタフェースが、ヘッダ情報のグラフィカル表示を可能にする少なくとも1つのヘッダリーダを含み、ヘッダ情報が、再生の長さを示す少なくとも1つのグラフィックと、再生の長さ内で生じる複数の警報とを含むコンピュータソフトウェアとを含む。
2009520277.tif 000002
【特許請求の範囲】
【請求項１】
メディアコンテンツのブロードキャストを管理するためのシステムであって、
ハブにおける少なくとも1つのデータベースであって、前記メディアコンテンツに関連する少なくとも1つのデジタルファイルが、前記少なくとも1つのデータベースの中にリレーショナルに存在するデータベースと、
前記ブロードキャストのために、前記少なくとも1つのデジタルファイルの複数のファイルの少なくともスケジューリング、編集、および配信のためのグラフィカルユーザインタフェースを提供する、前記ハブから遠隔のローカルメディア再生ポイントにおいてアクセス可能なコンピュータソフトウェアであって、前記インタフェースが、ヘッダ情報のグラフィカル表示を可能にする少なくとも1つのヘッダリーダを含み、前記ヘッダ情報が、再生の長さを示す少なくとも1つのグラフィックと、再生の前記長さ内で生じる複数の警報とを含むコンピュータソフトウェアと、
前記ローカルメディア再生ポイントを介して再生するために、前記グラフィカルユーザインタフェースを介して前記コンピュータソフトウェアに入力された命令に基づいて、前記少なくとも1つのデジタルファイルにアクセスすることができる、前記ローカルメディア再生ポイントにおける少なくとも1つのコンピュータ化されたデバイスと
を含むシステム。
【請求項２】
前記ローカルメディア再生ポイントを介する前記再生が、少なくとも部分的に自動化される請求項1に記載のシステム。
【請求項３】
前記コンピュータソフトウェアが、記録機構をさらに含む請求項1に記載のシステム。
【請求項４】
前記コンピュータソフトウェアが、スケジュールギャップを埋める少なくとも1つの汎用トラックを挿入する請求項1に記載のシステム。
【請求項５】
前記コンピュータソフトウェアが、配信のために、前記少なくとも1つのデジタルファイルの前記複数のファイルに外部フィードを組み込む請求項1に記載のシステム。
【請求項６】
前記ブロードキャストが、インターネットブロードキャストである請求項1に記載のシステム。
【発明の詳細な説明】
【技術分野】
【０００１】
本発明は、デジタルメディアシステムに関し、より詳細には、ローカルのロケーションと遠隔のロケーションの両方からの放送時間スケジューリングへのリアルタイムアクセスを提供するためのコンピュータ化されたメディアブロードキャストプラットフォームに関する。
本出願は、引用により開示の全体が本明細書に組み込まれている米国特許出願第11/131022号に関連する。
【背景技術】
【０００２】
パーソナルコンピューティングハードウェア、パーソナルコンピューティングソフトウェア、ならびに高度化されたネットワークを介するこれらのハードウェアおよびソフトウェアの相互接続性の進歩を通じて、無線ブロードキャスト技術の進化は、自動化されたシステムに有利に動いてきた。しかし、この動きの初期段階は、望ましいどころではなかった。たとえば、これらのシステムの性質は、これらのシステムが、原始的なコンピュータシーケンスに結び付けられたテープベースの再生デバイスに依拠していた場合、非常に機械的であった。これらのシステムは、調整不良のヘッド、欠陥のあるキャプスタンおよびローラ、損傷を受けたテープ、および無線周波数干渉などの技術的問題を非常に被りやすかった。想像することができるとおり、このモデルは、相当な修理費用および交換費用を生じ、そのようなシステムが、既存のブロードキャストモデルより本当に有利であるかどうかを疑わしくした。
【０００３】
これらの初期の問題に応えて、デジタルフォーマットが、オーディオコンテンツに関するより優れた標準として出現した。一部のシステムが、パーソナルコンピュータのために構築される一方で、他のシステムは、独自のハードウェアシステムおよびソフトウェアシステムとして作成された。これらのシステムは、テープベースのモデルよりも優れているが、原始的なオペレーティングシステムの非効率、および弱い処理能力が、遅れ、およびブロードキャスト障害をもたらして、ライブの放送時間を、定期的な番組不発および無声の間隙がある状態のままにした。さらに、ソフトウェアシステムは、高レベルの、つまり、職業的なブロードキャストに必要とされる包括的なサービス範囲を欠いていた。ほとんどの自動化された無線システムの場合と同様に、ユーザは、別個の音楽選択-トラフィックソフトウェアを購入して、実行しなければならず、このことは、ログおよび再生リストをマージすることを要求する。その結果、これらのシステムは、複数のプラグインを要求し、このことは、互換性問題につながり、「ユーザフレンドリな」単一のインタフェースの感覚を全く欠いていた。
【０００４】
さらに、ブロードバンドネットワーキングおよび衛星ネットワーキングの導入および改良を介して、孤立した無線周波数ブロードキャストとしてのラジオの従来の役割は、急速に終了した。ラジオ局の需要は、インターネットや、たとえば、発呼者が「保留中」で待っている際の、電話線システムなどの場所にまで拡大した。これに加えて、オーディオフォーマットにおいてだけでなく、ビデオにおける進歩が、包括的なデジタルマルチメディアブロードキャストプラットフォームの必要性を生じさせた。また、ネットワーキングインフラストラクチャは、非常に安定して、信頼できるものになっているので、予算が、遠隔のロケーションから評価され、管理されることが可能な複数の自動化されたブロードキャスト局を介して合理化される(stream-lined)ことが可能である。
【特許文献１】米国特許出願第11/131022号
【発明の開示】
【発明が解決しようとする課題】
【０００５】
このため、広い地理的区域の管理が、オンサイトにおいても、遠隔のロケーションからも達せられることが可能な、さまざまなブロードキャストメディアにおけるデジタルマルチメディアブロードキャストを扱うための単一のソフトウェアプラットフォームの必要性が、存在する。
【課題を解決するための手段】
【０００６】
メディアコンテンツのブロードキャストを管理するためのシステムが説明される。このシステムは、ハブにおける少なくとも1つのデータベースであって、メディアコンテンツに関連する少なくとも1つのデジタルファイルが、この少なくとも1つのデータベースの中にリレーショナルに存在するデータベースと、前記ブロードキャストのために、この少なくとも1つのデジタルファイルの複数のファイルの少なくともスケジューリング、編集、および配信のためのグラフィカルユーザインタフェースを提供する、ハブから遠隔のローカルメディア再生ポイントにおいてアクセス可能なコンピュータソフトウェアであって、インタフェースが、ヘッダ情報のグラフィカル表示を可能にする少なくとも1つのヘッダリーダを含み、ヘッダ情報が、再生の長さを示す少なくとも1つのグラフィックと、再生の長さ内で生じる複数の警報とを含むコンピュータソフトウェアと、ローカルメディア再生ポイントを介して再生するために、グラフィカルユーザインタフェースを介してコンピュータソフトウェアに入力された命令に基づいて、少なくとも1つのデジタルファイルにアクセスすることができる、ローカルメディア再生ポイントにおける少なくとも1つのコンピュータ化されたデバイスとを含む。
【０００７】
本発明の理解は、同様の符号が同様の部分を参照する、添付の図面と併せて解釈される、本発明の好ましい実施形態の以下の詳細な説明を考慮することにより、容易になる。
【発明を実施するための最良の形態】
【０００８】
本発明の図および説明は、簡明のため、デジタルメディア管理システムにおいて見られる他の多くの要素を省きながら、本発明の明確な理解のために関係のある要素を示すように簡略化されていることを理解されたい。他の要素および/または他のステップが、本発明を実施する際に望ましく、さらに/または要求されることが、当業者によって認識される可能性がある。しかし、そのような要素およびステップは、当技術分野でよく知られているため、さらにそのような要素およびステップは、本発明のよりよい理解の助けとならないため、そのような要素およびステップの説明は、本明細書において与えられない。本明細書の開示は、当業者に知られているそのような要素および方法の、すべてのそのような変更形態および変形形態を対象とする。
【０００９】
本発明は、ブロードキャストプラットフォームに必要なハードウェア、ソフトウェア、およびネットワーキングを含むデジタルマルチメディアを管理するためのシステムを提供し、これらのハードウェア、ソフトウェア、およびネットワーキングはすべて、既存の制作エディタ、トラフィックシステム、および音楽スケジューラと適合することが可能なフォーマットになっている。さらに、本発明は、ユーザが、ライブの放送時間のほんの数秒前に、ファイルを追加すること、ドロップすること、および編集することを可能にする、システムに入力されたデジタルファイルのライブラリのすべての部分、または任意の部分を表示する、効率的で、使いやすいグラフィカルユーザインタフェースを提供する。たとえば、システムは、リアルタイムで、デジタルファイルフォーマットで曲、プロモーション、およびスポットをスケジュールする能力をラジオ局または制作スタジオに与えることができる。スケジュールされたファイルまたはイベントが、入力されると、リストが、ディスクジョッキー、アナウンサ、ステーションマネージャーなどの能動的なユーザによって手動で再生されることが可能であり、あるいは部分的に、または全部、自動的に実行されることが可能である。さらに、ユーザは、必要に応じて、ライブの放送時間前に、またはライブの放送時間中に、スケジュールの任意の部分を編集することを、すべてリアルタイムで行うことができる。
【００１０】
たとえば、.wav、.mp3、.wma、.cda、.ogg、.mpeg、または.jpegなどの、任意の種類のオーディオファイルフォーマットおよびビデオファイルフォーマットが、このシステムで使用されることが可能である。システムは、任意の標準の、または特化されたパーソナルコンピュータ上で実行されることが可能であり、Windows NT（登録商標）、Windows 2000（登録商標）、およびWindows XP（登録商標）などの、任意の既存のオペレーティングシステムのために設計されることが可能である。
【００１１】
次に図1を参照すると、本発明のある態様による通信システム100のアーキテクチャが、示されている。システム100は、パーティデータ120、契約者130、少なくとも1つの地域ブロードキャストスタジオ140、およびブロードキャストハブ150を通信するように結合するネットワーク化された環境110を含むことが可能である。少なくとも1つの地域スタジオ140は、少なくとも1つの無線送信機160に通信するようにさらに結合されることが可能である。
【００１２】
通信システム100は、少なくとも1つの地域ブロードキャストスタジオ140からのラジオ広告およびラジオ番組のブロードキャスト情報の検証を格納し、転送するように、本発明のブロードキャストプラットフォームソフトウェアを有して構成されたブロードキャストハブ150を含むことが可能である。この検証された情報は、その情報のサンプルの記録のために、データレコーダに転送されることが可能である。さらに、この記録された、検証された情報が、解析されて、キャンペーン情報、およびブロードキャスト情報のリマインダにされることが可能であり、キャンペーン情報は、ブロードキャストイベントに関連するラジオ広告情報またはラジオ番組情報を含むことが可能である。データレコーダは、この検証された情報に、ネットワーク化された環境110がアクセスできるようにして、無数の検証された情報が、必要に応じて、蓄積されることが可能であるようにすることができる。ネットワーク化された環境110は、この検証された情報を求める要求に応答して、この検証された情報を契約者130および/またはブロードキャストハブ150に転送することができる。
【００１３】
本発明のある態様によれば、ラジオ広告またはラジオ番組が、いつブロードキャストされたかの特定が、達せられることが可能である。この特定は、ブロードキャストハブ150内のブロードキャストソフトウェアを利用して実行されることが可能である。ハブ150内で、データコレクタが、広告キャンペーンまたはラジオ番組に関連するオーディオファイルと関係するブロードキャスト情報の検証を特定することができ、その情報を、ネットワーク化された環境110に転送することができる。ハブ150は、契約者130による要求などに応答して、その情報を表にして、役に立つレポートへと編成するためのソフトウェアを含むことが可能である。たとえば、そのようなレポートにおける情報は、たとえば、キャンペーン当たりの広告ブロードキャストまたは番組ブロードキャストの総数、いずれの局で、そのラジオ広告またはラジオ番組が放送されたかというリスト、ブロードキャストの時間ごとの細分、ブロードキャスト視聴者の人口統計、ブロードキャスト視聴者の地理、および/またはラジオ局のフォーマットなどの、多くの異なる基準に基づいて提示されることが可能である。
【００１４】
本発明のある態様によれば、契約者130が入手できるレポートは、入手可能な最新の情報を反映することが可能である。ブロードキャスト情報の検証は、ブロードキャスト情報の検証が、ブロードキャストハブ150から入手可能になった際などに、データコレクタから、ネットワーク化された環境110に転送されることが可能である。そのような実質的にリアルタイムのレポートは、ラジオ広告およびラジオ番組の配信に関する実質的にリアルタイムのデータを契約者130に提供することができる。
【００１５】
本発明のある態様によれば、広告キャンペーンまたは番組に関連するブロードキャスト情報の検証は、他の情報と組み合わされることが可能であり、ネットワーク化された環境110上に存在する、またはネットワーク化された環境110がアクセスすることができる、さらなるデータベースの中に格納されて、広告キャンペーンまたは番組の視聴者についての人口統計情報のレポートが生成されることが可能である。検証情報と組み合わせるための、他のそのような情報が、たとえば、関係のあるインターネットサイトまたはイントラネットサイトから、ブロードキャストされるべき番組の送信に含められる命令に応答して自動的に、または契約者要求が受信されると手動で獲得されることが可能である。
【００１６】
この相互接続性をより完全に説明するため、例示的な実施形態が、本明細書で以下に示される。次に、やはり図2を参照すると、本発明のある態様によるブロードキャストソフトウェアプラットフォームを利用するシステムが、示されている。契約者130は、いくつかのローカルの地域ラジオ局にわたってラジオ広告を購入することにより、1つまたは複数のブロードキャストキャンペーンまたは広告キャンペーンを行うことができる。そのような契約者130は、地域ブロードキャストスタジオ140によるスケジューリングのために、それらのラジオ局にオーディオコマーシャルを配信することができる。契約者130は、その配信を検証し、その1つまたは複数の広告キャンペーン、および関連するオーディオコマーシャルのそれぞれのブロードキャストを追跡することができる。契約者130が、一意の、対応するファイル名を有する1つまたは複数の広告キャンペーンを設計することが、有益である可能性がある。これに関して、各オーディオコマーシャルデジタルファイルは、契約者130、すなわち、関連付けられた一意のファイル名を有することが可能である。広告キャンペーンに関連するオーディオコマーシャルデジタルファイルは、この説明では、「キャンペーンクリエイティブ」と呼ばれる。
【００１７】
本発明のブロードキャストソフトウェアプラットフォームをやはりインストールしている地域ブロードキャストスタジオ140が、契約者130のためにキャンペーンクリエイティブをブロードキャストすることができる。地域ブロードキャストスタジオ140は、スタジオ140のトラフィキングシステム210または番組システム220の内部でブロードキャスト配信をスケジュールすることにより、キャンペーンクリエイティブのブロードキャストを開始することができる。キャンペーンクリエイティブは、局140のラジオ自動化ソフトウェア230の上にロードされることが可能である。ラジオ自動化ソフトウェア230として表されるブロードキャストソフトウェアプラットフォームは、トラフィキングシステム210および番組システム220によって提供されるスケジューリング情報および/または「フライト」情報を含むことが可能である。代替の実施形態では、ラジオアニメーションソフトウェア230が、トラフィキングシステム210および番組システム220を含むことが可能であり、したがって、ラジオアニメーションソフトウェア230は、単一のプラットフォームにおいて3つすべてのシステムの機能を含むことが可能である。ブロードキャストハブ150が、ラジオ自動化ソフトウェア230からキャプチャされたキャンペーンクリエイティブに関するスケジューリング情報をデータコレクタに転送することができる。スケジュールされた時刻に、ラジオ自動化ソフトウェア230は、後に無線でブロードキャストされるように、局送信機160にキャンペーンクリエイティブをストリーミングすることができる。ブロードキャストハブ150は、ラジオ自動化ソフトウェア230からキャプチャされた、キャンペーンクリエイティブに関するブロードキャスト情報の検証を、データコレクタに転送することができる。データコレクタは、ブロードキャストハブ150から送られた情報を蓄積し、さらに/または格納することができる。
【００１８】
本発明のある態様によれば、データコレクタは、たとえば、キャンペーン識別子を識別するテーブルを含めることにより、キャンペーン識別子と関係するブロードキャスト情報の検証を分離することができる。キャンペーン識別子テーブルの中のキャンペーン識別子の1つに関するブロードキャスト情報の検証が、着信すると、データコレクタは、ブロードキャスト情報(「キャンペーン情報」)のその検証をハブ150に転送することができる。データコレクタは、キャンペーン情報が着信するにつれ、あるいは15分のインクリメントで、1時間のインクリメントで、数時間のインクリメントで、または当業者に知られている他のインクリメントでなど、設定された時間で、キャンペーン情報を転送することができる。キャンペーン情報が、データコレクタからハブ150に送られるレートは、レポートが、どれだけ新しい、つまり、リアルタイムであるかを制限することが可能である。これに関して、本発明のある態様によるデータコレクタは、キャンペーン情報が、データコレクタにおいて利用可能になった後、数時間以内などの、リアルタイムで、ハブ150にキャンペーン情報を提供するように構成されることが可能である。ハブ150の一部分は、データコレクタから、各キャンペーン識別子に関連するブロードキャスト情報(キャンペーン情報)の検証を受信して、その情報を、ハードディスクドライブなどの永久記憶媒体上に格納するWebサーバを含むことが可能である。Webサーバは、各キャンペーン識別子に基づいてキャンペーン情報を表にすることができる。キャンペーン情報を含むテーブルは、データコレクタがキャンペーン情報をWebサーバに提供するレートと同じだけ、新しいことが可能である。したがって、ハブ150は、Webサーバを介して、実質的にリアルタイムで、ラジオ広告およびラジオ番組のブロードキャストのレポートを生成できることが可能である。
【００１９】
ハブ150は、インターネット110を介して、表にされたデータへのアクセスを提供することができる。インターネット110は、契約者がレポートを利用することができるようにするためのワイドエリアネットワークとして説明されることが可能であるが、本発明のシステムおよび方法は、ハブ150上に格納されたデータへの契約者によるアクセスを可能にする任意のワイドエリアネットワークを包含することが当業者には理解されよう。契約者130は、インターネット110への接続を介してハブ150にアクセスすることができる。インターネット110への接続は、ハブ150へのアクセスを可能にする任意の従来の接続であることが可能である。たとえば、契約者130は、TCP/IP、およびモデムを介する従来のダイヤルアップ接続を使用して、または常時アクセスを提供する専用の接続を使用して、ハブ150にアクセスすることができる。ハブ150は、契約者130がハブ150を識別することを可能にする一意のHTTP(ハイパーテキスト転送プロトコル)アドレス、一意のFTPアドレス、または他の任意のアドレス指定スキームを有することが可能である。
【００２０】
ハブ150は、契約者130が、ある特定のラジオ広告ブロードキャストまたはラジオ番組ブロードキャストのレポートをいつでも要求することを可能にすることができるサーバソフトウェアを、Webサーバ内などに含むことが可能である。たとえば、契約者130は、火曜日の日中にインターネット110に接続することが可能である。その時点で、契約者130は、セキュアアクセスプロトコルを使用してハブ150にログオンして、レポートを提供する要求をWebサーバに発行することができる。この発行された要求は、キャンペーン識別子によって、該当する特定のラジオ広告またはラジオ番組を識別する。ハブ150は、契約者130によって提供されるキャンペーン識別子に関連するキャンペーン情報のテーブルの中に格納されたデータを読み取ることにより、その要求に応答することができる。Webサーバ上に存在するソフトウェアが、その要求に従ってレポートを表にすることができる。最後に、Webサーバが、たとえば、HTMLフォーマットまたはXMLフォーマットなどで、レポートを契約者130に公表する。このようにして、契約者130は、所望されるだけの頻度で、Webサーバにアクセスし、問い合わせて、ある特定の広告キャンペーンまたはラジオ番組のブロードキャストを特定することができる。
【００２１】
ハブ150およびWebサーバは、即時に、毎時、毎日、毎週、または他の時間枠などの所定の間隔で、レポートを契約者130に送信するように構成されることが可能である。たとえば、ソフトウェアが、契約者要求を促し、Webサーバに、レポートを生成して、契約者130に送信させるように構成されることが可能である。また、電子メールを介するなどの、配信の代替の手段が、使用されることも可能である。これら、およびその他の代替は、開示される実施形態を検討することで、当業者には明白となる。
【００２２】
ハブ150およびWebサーバは、トリガイベントに応答してレポートを生成するように構成されることが可能である。そのようなトリガイベントの例は、たとえば、選定された広告もしくは番組に関するブロードキャストの確認、または広告もしくは番組が、ブロードキャストされるようにスケジュールされていたが、配信されなかった状況の確認、あるいは広告キャンペーンが、あるドルキャップ値(dollar cap value)に達したことの確認であることが可能である。たとえば、Webサーバが、データコレクタからキャンペーン情報が受信されるにつれ、キャンペーン情報を解析するように構成されることが可能である。キャンペーン情報が、ある特定のキャンペーン識別子を有する広告が、ある時刻にブロードキャストされるようにスケジュールされていたが、ブロードキャストされなかったことを反映する場合、Webサーバは、契約者130にあるフラグを発行することにより、応答することが可能である。本発明のある態様によれば、Webサーバは、キャンペーン情報から、キャンペーン識別子に関連する広告クライアントの電話番号、電子メール、ファックスなどを抽出して、失敗したブロードキャストをフォローアップするようになど、契約者130、または契約者に関連する誰かに、ブロードキャスト情報を直接に送信するように構成されることが可能である。キャンペーン情報は、デジタルポケットベルもしくはボイスポケットベルによって、電子メールメッセージによって、人間のやり取りによって、または契約者130に知らせるための他の任意の機構によって送られることが可能である。そのようにして、契約者130は、広告がブロードキャストされ損なったことを、実質的に即時に通知されることが可能であり、ラジオ局の連絡先情報および広告クライアント情報を与えられることが可能である。既存の技術に優る、本発明の、この態様によってもたらされる多大な利益が、当業者には理解されよう。
【００２３】
当業者には明白であり得るとおり、無数のレポートが、作成されることが可能である。単に限定的でない例として、そのようなレポートには、局別キャンペーン配信レポート、市場別キャンペーン配信レポート、日付別キャンペーン配信レポート、時間別キャンペーン配信レポート、ブロードキャスト失敗レポート、および人口統計レポートが含まれることが可能である。局別キャンペーン配信レポートは、いずれの局で、選択されたラジオ広告またはラジオ番組がブロードキャストされたかを特定することできる。このレポートは、契約者130が、ある局全体にわたる、または関連する地理的区域内における配信を検証できるようにすることが可能である。市場別キャンペーン配信レポートは、キャンペーンのブロードキャストが行われた地理的市場を特定することできる。このレポートは、契約者130が、ある市場の範囲内の配信およびサービス範囲を検証できるようにすることが可能である。日付別キャンペーン配信レポートは、指定されたキャンペーンに関連するブロードキャストの1日当たりの合計を契約者130に提供することができる。契約者130は、このタイプのレポートを使用して、サポート計画目的などで、最も多い広告応答および番組応答を有する日を容易に特定することができる。ブロードキャスト失敗レポートは、スケジュールされてきたが、ブロードキャストされ損ねたキャンペーンのリストを契約者130に提供することができる。この情報は、契約者130が、販売サポートを管理し、失敗を直すアクションをとろうと試みることを可能にする。人口統計レポートが、提供されることが可能である。たとえば、ある特定の市場全体にわたってブロードキャストされた広告キャンペーンが、エリアコードまたは郵便番号にマッピングされて、受信するブロードキャスト視聴者の地理的ロケーションの大まかな概要が、契約者130に与えられることが可能である。人口調査情報から入手可能なデータベースなどの、さらなるデータベースを使用して、契約者130に役立つ可能性がある金銭的情報、民族的情報、および年齢関連の人口統計情報が生成されてもよい。
【００２４】
局は、無数の理由でインターネットから局を分離することを所望する可能性があり、そうすることができる可能性がある。本発明の態様によるとともに、ラジオ局に関して最良の慣行であると現在、考えられていることによれば、局は、公共のインターネットからミッションクリティカルな生放送のワークステーションを分離することができる。具体的には、本発明は、生放送のワークステーションが、インターネットに直接に接続されることなしに、インターネットを介してデータセンタにセキュアに接続されることを可能にすることができる。そのような構成は、アウトバウンド専用のプロトコルを含むが、このプロトコルには限定されない暗号化プロトコルおよびセキュアプロトコルを使用することによって達せられ、最適化されることが可能である。
【００２５】
たとえば、ローカルプロキシまたはローカル接続などの、任意のネットワーキングモデルが、使用されることが可能である。ローカルプロキシを使用して接続することは、インターネット接続を要求する必要がなく、代わりに、LAN(ローカルエリアネットワーク)への接続だけを要求することが可能である。LAN上の1つのコンピュータは、2つのネットワークカードを有することが可能であり、これらのカードの1つは、ローカルプロキシと通信し、ローカルプロキシは、暗号化されたアウトバウンド専用の接続を介してデータセンタと通信する。他方、直接の接続は、生放送のワークステーションが、インターネット接続を有することを要求する可能性があり、データセンタへのアウトバウンド専用の接続を提供することが可能である。
【００２６】
図3で見て取ることができるとおり、ローカルプロキシは、データセンタへの暗号化された接続、および全体的なネットワークトラフィックの低減を提供することができる。ローカルプロキシは、「SS32/Maestro」と図3に表されるブロードキャストソフトウェアプラットフォームを、ローカルプロキシと一緒に使用して、データセンタへの暗号化された、セキュアな接続を作成することができる。これが行われるのに、ブロードキャストソフトウェアプラットフォームは、生放送の自動ワークステーションの各ワークステーション上に、ネットワーク内のローカルプロキシモジュールと一緒に存在することが可能である。データセンタに対する暗号化された接続を確立するのに、これらのモジュールは、局が、専用の内部自動化システムLANと、インターネット接続を有する別個の企業LANとを有することを頼りにすることが可能である。また、マルチホーム型である1つのマシンが存在することも可能であり、マルチホーム型とは、マシンが、2つのネットワークカードを有し、両方のネットワークを認識していることを意味する。ほとんどの施設において、マルチホーム型マシンは、通常、ディスパッチまたはサーバである。両方のモジュールと、ハード/ネットワーク構成とが配置されて、ブロードキャストソフトウェアプラットフォームは、ローカルプロキシに自動的に接続しようと試みることが可能である。そしてローカルプロキシは、データセンタに対して暗号化された接続を確立しようと試みることが可能である。ローカルプロキシは、自動化システムLANと企業LANの両方に関して、マルチホーム型マシンのデフォルトのネットワーク設定を利用するように設計されることが可能である。したがって、これらのネットワーク設定は、概ね変更されないままであることが可能である。さらに、ローカルプロキシは、データセンタに接続するのにホスト名に頼る必要がなく、代わりに、IPアドレスを使用し、したがって、DNS構成は、全く必要ない。ローカルプロキシネットワーク設定は、デフォルトの設定のいずれかが、企業LANを介するマルチホーム型マシンからのアウトバウンドインターネットトラフィックをブロックするように変更されている場合、またはマルチホーム型コンピュータへの、自動化システムLANからのインバウンドトラフィックが、ブロックされている場合、変更されることが可能である。これらのデフォルトが、変更されている場合、以下のような、さらなる変更が、必要とされる可能性がある。すなわち、たとえば、ポート443(HTTPS)上などで、企業LANを介してインターネットにアウトバウンドで接続されるマルチホーム型コンピュータ、たとえば、ポート10000上などで、企業LANを介してインターネットにアウトバウンドで接続されるマルチホーム型コンピュータ、たとえば、ポート80上などで、企業LANを介してインターネットにアウトバウンドで接続されるマルチホーム型コンピュータ、たとえば、ポート10000上などで、内部自動化システムLANを介してマルチホーム型コンピュータにアウトバウンドで接続される生放送のワークステーション、たとえば、ポート10000上などで、内部自動化システムLANからインバウンドトラフィックを受け入れるマルチホーム型コンピュータである。そのような構成の下で、ローカルプロ��シモジュールは、特定のポートを使用して、インターネットを介する暗号化されたアウトバウンド専用のトラフィックを誘導することができる。たとえば、ポート443(HTTPS)およびポート10000が、暗号化された局情報およびモジュール制御トラフィックを送信するために使用されることが可能である。これらのポート間の選択は、システムリソースを保つように最適化されることが可能である。ポート80は、データセンタから、暗号化されていないメディアファイルをダウンロードするために使用されることが可能である。局のネットワークを構成した後、生放送の自動化ワークステーションは、ローカルプロキシモジュールを介してデータセンタに自動的に接続されることが可能である。
【００２７】
システムは、ワンタッチで複数の局の間でログファイルおよびオーディオファイルを共有するためのハンズフリーの自動転送を提供することができる専用のネットワーキングルータをさらに組み込むことが可能である。そのようなルータは、たとえば、高速インターネット接続を介してファイルを送信し、すべての局に関して1つのFTPサイトを使用するマルチプロトコルルータであることが可能である。このシステムは、ユーザが、互いに接続された局の間で、またはオフサイトのバックアップサーバとの間でさえ、自動ファイル転送のためのスケジュールを設定すること、あるいはファイル、再生セット、またはログをオンデマンドで転送することを可能にすることができる。
【００２８】
本発明のブロードキャストシステムは、標準のラジオブロードキャスト、または従来のラジオブロードキャストのためだけでなく、インターネットベースのブロードキャストまたはネットワークベースのブロードキャストのため、さらに、任意のタイプおよび組み合わせのオーディオ再生、ビデオ再生、または他のマルチメディア再生のために使用されることが可能であることを理解されたい。
【００２９】
また、本発明は、ユーザが、複数のラジオ局および/または制作スタジオに遠隔でアクセスし、さらに/または複数のラジオ局および/または制作スタジオを遠隔で監視することを、そのような局および/またはスタジオが、「WAN」(ワイドエリアネットワーク)または「LAN」(ローカルエリアネットワーク)などのネットワーク内で接続されているという条件付きで、可能にすることができることも理解されたい。たとえば、図1を全体的に再び参照すると、米国全体にわたって位置する複数のラジオ局が、インターネットを介して単一のハブに接続されることが可能である。このハブから、管理者が、必要に応じて、これらのラジオ局のいずれかにおける再生リスト、およびその他のスケジュールされたクリップを管理し、編集することができる。別の実施形態では、単一の建造物内に位置する複数のスタジオが、LANを介して、前述したとおり、管理者が、必要に応じて、これらのスタジオのいずれかにおけるファイルを管理し、編集することができる中央ハブに接続されることが可能である。
【００３０】
中央ハブが、コントロールセンタとして機能することができ、いくつかの遠隔に位置するラジオ局またはラジオスタジオにおいて実行されたシステムを監視することができる本発明の別の態様によれば、システムは、ハブに接続された任意の特定のラジオ局のステータスに関して、ハブのための警報フィーチャを組み込むことができる。たとえば、ある特定の局における監視されるシステムが、通常どおりに動作している場合、そのシステムの表示は、緑である。監視されるシステムが、将来の問題が起こりうることをハブに報告した場合、その表示は、黄色に変わり、さらに/またはアラームが鳴らされる。そのような状況において、ハブは、適切なスタッフを呼び出す、または適切なスタッフに電子メールを送信することができる。問題が実際に生じた場合、表示は、赤に変わり、警報アクションは、漸進的にエスカレートされる。
【００３１】
中央管理ハブを利用する、さらに別の例示的なネットワークにおいて、警報または気象通報が、ハブによって、互いに接続されている局のいずれにも、自動的に、さらに/または手動で送信されることが可能である。ハブに配置されたブロードキャストソフトウェアプラットフォームは、オプションとして、局にいるかのように、局のソフトウェアプラットフォームの完全なコントロールのために、任意の特定の局にズームインすることができる。このため、いずれの局も、ローカルで、またはハブから動作する、あるいは任意の時点で、この2つのロケーションの間で共同コントロールを共有することができる。
【００３２】
また、別のロケーションに対する任意の特定のロケーションのコントロール、または任意の特定のロケーションからのコントロールを無効にする、または回避するために、IDおよびパスワードを要求する、許可-優先システムが、実施されることも可能である。そのようなセキュリティシステムを実施する際、局管理により、ユーザが、シフト単位のベースでファイルまたはログの置換を行うことが許される、または禁止されることが可能である。
【００３３】
本発明の別の態様によれば、ブロードキャストソフトウェアプラットフォームの機能的フィーチャは、ユーザに固有であるように構成されることが可能であり、したがって、各ユーザは、ユーザの選好にユーザのスクリーンを構成することができ、そのような選好は、局またはハブにおけるユーザのシフト中に自動的に表示されることが可能である。
【００３４】
本発明の別の態様によれば、ブロードキャストソフトウェアプラットフォームは、ユーザが、ライブの放送時間のほんの数秒前に、ファイルを追加すること、ドロップすること、および編集することを可能にする、効率的で、使いやすいグラフィカルユーザインタフェースを提供する。たとえば、システムソフトウェアは、「再生」ボタンなどの選択可能なアイコンを提供して、選択された際に、任意のファイルの再生を開始することができる。これらのアイコンは、マウスポイントもしくはアクティブなカーソルによって選択可能であることが可能であり、またはアクティブな選択のための「タッチスクリーン」を組み込むことができる。また、当業者によって理解される、音声起動選択、または他の任意のアイコン選択方法が、使用されることも可能である。また、システムは、キーボードショートカットをユーザが利用できて、ドラッグアンドドロップインタフェースを組み込むことも可能である。いくつもの選択可能なアイコンが、使用されることが可能である。たとえば、個々のファイルを表す20、50、または100のアイコンが、単一のスクリーン上に配置されることが可能であり、あるいはタブ付きフォーマットまたはハイパーリンク付きフォーマットを使用するマルチレイヤスクリーンが、選択可能なアイコンの数を増やすように使用されることが可能である。本発明の一実施形態では、30の「再生」ボタンセットが、100までのファイルを交代させることが可能な30までのキーを有することが可能である。
【００３５】
本発明は、システムに入力されたオーディオファイルのライブラリのすべて、または任意の部分を表示することが可能な、編成された、ユーザフレンドリなビジュアルインタフェースをさらに含むことが可能である。たとえば、このインタフェースは、ファイルが、前回に再生されたのはいつであるかを示し、スケジュールされた任意の個々のファイルまたはファイルグループのログが、閲覧されることが可能な、放送時間の視覚的検証を提供することが可能である。また、これらのログは、必要に応じて、ユーザによってアクセスされ、編集されることも可能である。さらに、任意のオーディオファイルまたはログを調整するためのコントロールが、スクリーン上に配置されて、ユーザが、そのようなファイルまたはログを選択し、編集することができるようにすることも可能である。ファイルが、前回に再生されたのはいつであるかをさらに示すことが可能な、「カートウォール」によく似た挿入ウインドウが、デジタルファイルのライブラリ全体、またはデジタルファイルライブラリの任意の部分を表示することが可能である。
【００３６】
本発明は、ファイルのさまざまな特性または特徴を検索するために、検索エンジンをさらに組み込むことが可能である。これらの特性は、既存であっても、ファイルに追加されてもよく、したがって、ある特定のユーザが、ユーザ自らの所望される検索特性または検索パラメータに基づいて検索することができる。たとえば、ユーザは、題名、アーチスト、音楽カテゴリまたはファイルの長さ、あるいは検索を行うのに適した他の任意のパラメータによって、曲を検索することができる。
【００３７】
本発明の別の態様によれば、ファイルは、グループまたはセットでスケジュールされることが可能であり、グループまたはセットは、1つのスケジュールされた単位として選択されることが可能である。グループは、必要に応じて、展開され、または折りたたまれて、再生リストの中で単一のライン、または複数のラインを示すことが可能である。そのようなスケジューリングは、ユーザが、連続的な個々の選択と比べて、グループで、よりスムーズに流れるパッケージをあらかじめ設定することを可能にすることができる。再生リストは、曲、または他のサウンドファイルのフローのグラフィックビューを示すことができる。また、再生リストにおける次のキューポイントまたは制御イベントについての時間情報が、提供されることも可能である。さらに、複数の再生リストが、構築されることが可能であり、したがって、1つの再生リストが、ライブの放送時間で再生されている間に、他の再生リスト、グループ、またはセットが、順次の再生のために並べられて、構築されることが可能である。再生リストは、たとえば、ある特定の時刻にある再生リストを開始することなどにより、特定のパラメータによって再生のために、さらにスケジュールされることも可能である。また、ブロードキャストプラットフォームは、題名、アーチスト、ファイル名、アルバム、ジャンル、テンポなどの特定のパラメータ、または「promo」、「sweeper」、「jingle」、または特定のファイルに関連付けるようにユーザが選択することが可能な他の任意の語などの専門用語に基づくパラメータに基づき、ファイルのランダムな再生および/または選択を可能にすることもできる。
【００３８】
本発明のさらに別の態様によれば、記録機構が、ソフトウェアプラットフォームに組み込まれることが可能であり、したがって、ユーザは、ある特定のファイルを選択し、そのファイルの任意の部分にわたって記録することができる。たとえば、曲ファイルの前部および/または後部から空白スペースが、切り落とされることが可能であり、曲が、ピークにおける最大音量に関して正規化されることが可能である。そのような編集は、ファイル遷移に対する、より良好なコントロールのために、ファイルのタイミングおよびレベルを微調整するように行われることが可能である。さらに、タグまたはマーカが、ファイルの中に符号化されることが可能であり、あるいは、ファイルの以前の再生に基づく入力が、開始時間から曲の歌詞の先頭までのカウントダウンクロック、またはファイルの終わりまでのカウントダウンなどの、他のフィーチャを実行するためのシステムソフトウェアによる認識を可能にすることができる。
【００３９】
本発明の別の態様によれば、ブロードキャストソフトウェアシステムは、編集のためにさらにロックされる、または分離されることが可能な、別のトラック上にコールを記録することができる電話編集機能を含むことが可能である。そのような電話編集機能は、ハーフスクリーンモードもしくはデュアルスクリーンモードで、または別のウインドウの中で使用され、見られることが可能である。
【００４０】
本発明のさらに別の態様によれば、ファイルが放送される前に、「イントロ」、「アウトロ」、または「フック」が、ファイル上に記録されることが可能であり、あるいは、たとえば、曲ファイルが再生されている間に、アウトロが、プレビューされることが可能である。さらに、ファイルのフック、イントロ、およびアウトロは、記録されるにつれ、定義されることが可能であり、このことは、再記録することなしに、宣伝広告を構築するのにフック、イントロ、およびアウトロが使用されることを可能にする。
【００４１】
本発明の別の態様によれば、ユーザは、ラジオ信号などの外部信号を再生リストに混ぜることができる。たとえば、局は、再生リストのために音楽、コマーシャルを作成する、または提供するが、ニュースを作成しない、または提供しないことが可能である。この状況において、ニュースフィードが、放送から取り込まれて、再生リストに混ぜられることが可能である。
【００４２】
本発明の別の態様によれば、音声トラック機能が、ブロードキャストソフトウェアシステムに含められることが可能である。たとえば、ユーザが、記録しながら、ヘッドホンセットにおいて曲およびスポットの始まり、または終わりを聞くことができる。次に、ユーザは、ピックリストからユーザの名前を選択することができる。以降、スペースバーのタッチが、次の論理的機能への移動を可能にすることができる。いずれかの曲またはスポットが、ショーに音声トラックが付けられた後に移動された、またはドロップされた場合、ソフトウェアシステムは、誤った音声トラックを再生することがない。代わりに、システムは、ユーザによって作成された汎用トラックを代用することができる。さらに、音声トラック機能は、曲の題名、アーチスト、イントロ時間、長さ、テンポ、年、CD名、および特定のファイルと関係するトリビアをユーザに示すことができる。
【００４３】
また、本発明は、最終ログに基づいて、コマーシャル時間およびトーク時間を計算し、「リアルタイム」クロックを表示する、または任意の数の事前記録された該当するラインから適切なトラックの挿入をシステムに行わせることも可能である。別の例において、オプションの温度告知モジュールが、電子屋外サーモスタットからの読み取り値に基づき、適切な音声トラックが付けられた温度記録をシステムに選択させることができる。
【００４４】
また、本発明は、スケジュール音声トラックに関する新たな音楽ログをスキャンすることもでき、その音声トラックの隣に曲の始まりまたは終わりを自動的に圧縮することができる。また、そのような機能は、ユーザによって手動で達せられることも可能である。たとえば、システムは、ユーザが、記録しながら、聞くことができるように、ユーザのヘッドホンにおいてはめ込み式の曲の始まりおよび終わりをユーザに提供することができる。完成された音声トラックは、次に、インターネットを介して曲に戻り、局において、音声トラックは、ブロードキャストされることが可能である。
【００４５】
本発明の別の態様によれば、ネットワーク番組および衛星フィードが、必要に応じて、遅延されることが可能である。たとえば、システムは、衛星フィードを自動的にキャプチャすることができ、特定の時点で、またはコマンドが、ネットワークから受信されることが可能な際に、記録の開始および停止を行うことができる。直観的なスケジューリングフィーチャは、ユーザが、キャプチャが所望される番組を、それらの番組が、単独のイベントであることが可能であるか、または複数の部分を有することが可能であるかに関わらず、スケジュールすることを可能にすることができる。1つの例示的な実施形態において、システムは、4つまでのフィードを同時に記録することができ、オーディオスイッチャを制御することができる。
【００４６】
緊急事態が生じた場合、同期されたバックアップシステムが、ブロードキャストシステムをシームレスに引き継ぐことができ、これにより、局が、システム障害のために放送しなくなるという懸念が解消されることが可能である。さらに、衛星自動化が、欠落している、または古くなった記録にオンザフライで取って代わることも可能である。さらに、再生されたものすべて、および各アイテムが再生された時刻を示す日々の「出力ログ」ファイルが、提供されて、ユーザによってさらに選択可能であることが可能な、記録保持機能に組み込まれることが可能である。
【００４７】
単に限定的ではない例として、ブロードキャストソフトウェアプラットフォームを示す選定された例示的なスクリーンショットが、図4〜図54として提供されている。図4に示されるとおり、本発明は、再生リスト101、ステージング領域102、タイマ103、およびさまざまなメニューオプションを提供することができる。たとえば、再生リスト101は、曲、広告、情報スポット、および/または他のメディアを含め、さまざまなメディアを含むことが可能である。再生リスト101は、時系列の順に並べられることが可能である。たとえば、音声トラックが、アーチスト、マドンナによる音楽ラジオミックス曲に先行して並べられて、その音声トラックが、音楽再生より前に再生され得るようにすることが可能である。
【００４８】
また、本発明は、メディアの再生を手動で制御する能力、再生リストからメディアを削除する能力、再生リストまたはステージング102の中でメディアをプレビューするオプション、および本発明のユーザが利用できることが可能なメディアを表示する能力を含むことも可能である。図4に示されるとおり、カートボタンが、クリックされて、ステージング領域102内に利用可能なカートを表示することが可能である。たとえば、「Gator 107.9」という題名のカートは、カートアクセスボタン上に示されるとおり、2秒という実行時間を有し、たとえば、放送事業者が「Gator 107.9 FM」としてブロードキャストしているということを特定する事前記録されたメディアを含むことが可能である。本発明によって格納される任意のカートが、当業者によく知られているとおり、任意のタイプの事前記録されたメディアを含むことが可能である。図4によってさらに示されるとおり、ステージング領域内のカートアクセスボタンが、主題によって分類されたさらなるカートまたはメディアホルダへのアクセスを提供することも可能である。たとえば、「jingles」というラベルが付けられたカートアクセスボタンは、システムのユーザが、ステージング領域102内で、たとえば、ジングルなどに関連することが可能なシステムの中に格納された任意のカートにアクセスすることを可能にすることができる。さらなる非限定的な例として、「FSX Page 1」とラベルの付けられたカートアクセスボタンをクリックすることにより、ユーザが、音響効果を含むカートにアクセスすることができるようになることが可能である。カートに関して提供される、さらなるフィーチャには、ログへのアクセス、さらなるオプションへのアクセス、ホットプラスであるカートを探し出すこと、そのモードにアクセスすること、または単に、カートを再生リストに挿入することが含まれる。
【００４９】
図5に示されるとおり、ユーザが、タイマ103をクリックすると、標的の中心が、再生リストの中でメディア上の再生一時停止ボタンの上に提示される。
【００５０】
図6は、メディア再生の開始と、メディア再生の所望されるコンテンツの開始との間の時間を決定するタイマの使用を含むことが可能な本発明の態様を示す。メディア再生の所望されるコンテンツには、たとえば、曲の歌詞、または広告の語が含まれることが可能である。タイマ103は、メディア再生の開始と、所望されるコンテンツの開始との間の時間のカウントダウンを提供することが可能である。メディア再生を表すファイルは、システムが、カウントダウンの開始および停止を行う曲内のある特定のスポットを認識することができるように、曲または宣伝広告の中にプログラミングされた「タグ」を含むことが可能である。単に非限定的な例として、図6に示されるとおり、「Alive and Kicking」という曲が、2分34秒という実行時間を有することが示される。タイマ103は、曲の開始と、歌詞の開始との間に10秒が存在することを示している。この時間差により、本発明のユーザが、メディア再生に被せて他のメディアを挿入することができるようになることが可能である。単に非限定的な例として、システムのユーザは、「Alive and Kicking」という曲を再生することを始めることができ、歌詞の開始まで、曲が再生されている間、曲に被せてトークすることができる。図6に示される例では、システムのユーザは、曲の歌詞が始まるまで、10秒という利用可能な時間を有する。このことにより、システムのユーザは、所望されるメディアが始まるまでに、メディア再生に被せて差し挟むのに有する時間を正確に特定することができるようになることが可能である。同様に、タイマは、図7に示されるとおり、グラフ形態をとることも可能である。単に非限定的な例として、タイマは、ある時間が残っている場合、数値からグラフィックに切り替わって、システムのユーザが、残りの時間を評価する、または理解することをより容易にできるようにすることが可能である。
【００５１】
図8に示されるとおり、タイマ103は、どれだけの時間が、現在のメディア再生のために残っているかについてユーザに知らせるカウントダウンを提供することが可能である。たとえば、「Alive and Kicking」という曲が、終わるまでに45秒だけ残っている場合、タイマは、約45秒から約0秒までカウントダウンする。本発明の、この態様は、図9にさらに示される。タイマは、色付けされ、明滅し、またはサウンドを提供して、メディア再生が終わりに近づいていることをシステムのユーザに知らせることが可能である。
【００５２】
図10に示されるとおり、システム内に格納されたメディアに関する特定の情報が、表示されることが可能である。単に非限定的な例として、再生リストの中の曲がクリックされて、アーチスト情報、アルバム情報、コンサート情報、およびメディア再生自体についての任意の特定の情報などの情報のウインドウが提供されることが可能である。そのような情報ウインドウは、アーチスト、メディア再生の作成者、メディア再生を提供するサービスによって提供されることが可能であり、さらに/またはシステムのユーザによって編集されることが可能である。情報は、任意の所与の間隔でさらに更新されることが可能であり、メディア再生についてのリアルタイム情報を提供することも可能である。
【００５３】
本発明は、メディア再生の完全な自動化を可能にするとともに、ユーザによる手動の操作のための能力を提供することも可能にすることができる。図11に示されるとおり、手動ボタンをクリックすることにより、ユーザは、再生リストの中のすべてのメディア再生を一時停止することを選択することができる。単に非限定的な例として、「voice track」という題名のメディアが、2秒の再生が残っている状態で現在、放送中であるものの、再生リストの中の後続のすべてのメディア再生は、一時停止される。図12に示されるとおり、本発明の手動操作中、再生リストの中の再生されるべき次のメディアは、システムのユーザによって手動で開始されない限り、再生されないことが可能である。単に非限定的な例として、フリートウッドマックによる「Hold Me」という曲が、再生リストの一番上にあるものの、ユーザによって手動で開始されるまで、再生されない。再生リスト内の「一時停止」ボタンをクリックすることにより、ユーザは、「再生」の隣のメディアを直接に再生すること、または再生リスト内のキューにメディア再生をアクティブに入れることができる。図13は、本システムの手動モードにおけるいくつかのメディア再生のアクティブな再生、およびキューに入れることを示す。図13にさらに示されるとおり、第1のメディア再生が終わると、キューに入れられた後続のメディア再生が、本システムの手動モードまたは自動モードで始まる。
【００５４】
再生リストからのメディア再生は、たとえば、メディア再生を選択して、「削除」キーを押すことにより、ユーザによって削除されることも可能である。図14に示されるとおり、ユーザが、メディア再生を誤って削除しようと試みた場合、またはメディア再生が、削除されることが可能でない場合、「削除なし」標識が、そのメディア再生上に現れることが可能である。メディア再生が、再生リストから削除されることに成功した場合、後続の再生が、再生リストの中で前に送られることが可能である。単に非限定的な例として、ユーザが、図14に示されるとおり、再生リストから音声トラックメディア再生を削除した場合、「What the World Needs」という題名のウィノナによる曲またはメディア再生が、図15に示されるとおり、再生リストの中で前に送られる。
【００５５】
図15にさらに示されるとおり、メディア再生は、「フックセットイントロ」から成ることが可能である。このタイプのメディア再生は、再生リストの中のメディア再生間の遷移を円滑にすることが可能なボイスオーバおよび/またはメディアクリップを含むことが可能である。たとえば、フックセットイントロは、システムからの来るべきメディア再生の説明を含むことが可能であり、来るべきメディア再生のオーディオクリップ、および/または本システムによる過去のメディア再生および将来のメディア再生に関する他の情報を提供することが可能である。単に非限定的な例として、図16に示されるとおり、フックセットイントロまたは音声トラックは、再生リスト内の1つまたは複数のメディア再生に関連付けられることが可能である。単に非限定的な例として、「Flash Dance - What a Feeling」という題名のメディア再生に、この曲を導入する音声トラックが関連付けられることが可能であり、したがって、この曲が再生リストの中にインポートされると、関連付けられた音声トラックは、この曲メディア再生を自動的に認識する。さらに、そのような音声トラックは、音声トラックの内容、およびメディア再生のユーザおよび/または作成者によって提供される関連付けに応じて、任意の特定のメディア再生に関連付けられることも、関連付けられないことも可能である。
【００５６】
また、本システムは、システム内のメディアのプレビューを可能にすることもできる。図17に示されるとおり、システムのユーザは、再生リスト内、およびカートリスト内でメディアに対する再生コントロールの表示を提供することができる「プレビュー」ボタンをクリックすることができる。これらのコントロールは、ユーザが、メディア再生の諸部分を再生すること、一時停止すること、巻き戻すこと、およびそれ以外でプレビューすることを可能にすることができる。メディア再生のそのような見直しは、システムによってブロードキャストされないことが可能であり、システムのユーザに限定されることが可能である。
【００５７】
図17に示される「カート」ボタンをクリックすることにより、ユーザには、図18に示されるシステム内に含まれるカートのリストが提示されることが可能である。ラジオ業界によってしばしば、言及されるカートとは、たとえば、曲、ジングル、音響効果、ボイスオーバ、ニューススポット、広告、およびPSA(公共広告)を含む多種多様なメディアを範囲に含む個別のメディア再生であることが可能である。図18に示されるとおり、本システムは、さまざまなカートを含むことが可能であり、それらのカートを数字で、または略語でリストアップすることが可能である。単に非限定的な例として、システムは、たとえば、101〜107と番号が付けられた7つの音楽ライブラリ、CLAという略語によって識別されるクラシック音楽ライブラリ、およびFSXという略語によって識別される音響効果ライブラリを含むことが可能である。本発明は、ユーザが、所与のカートライブラリを選択すること、利用可能なライブラリのWorld Wide Webリストを見ること、コンテンツの下のライブラリの説明を編集すること、ライブラリを追加すること、ライブラリを削除すること、システムに含まれるライブラリのエイリアスリストを提供すること、またはカートメニューを抜けることができるようにすることが可能である。「選択」ボタンをクリックすること、および/またはリストアップされたカートライブラリをダブルクリックすることにより、ユーザは、所与のライブラリ内のメディアのリストを見つけることができ、あるいはそのようなリストを提示されることが可能である。
【００５８】
ライブラリ101を選択すること、またはダブルクリックすることにより、ユーザには、図19に示されるとおり、ライブラリ内の音楽リストが提示されることが可能である。カートライブラリのリストは、たとえば、各音楽再生に関して提供される数字ID、メディア再生の題名、メディア再生のアーチストまたは作成者、およびメディア再生の実行の時間または長さを含むことが可能である。本システムは、ユーザが、メディア再生を削除すること、コピーすること、または移動すること、メディア再生の番号を変更すること、新たなメディア再生を作成すること、または特定のメディア再生に日付のタグを付けることができるようにすることが可能である。ある特定のライブラリ内の新たなメディア再生の作成は、ユーザが、システムにメディア再生を導入することを可能にする任意の手段によってさらに円滑にされることが可能である。これには、たとえば、CD、カート、またはWebからメディア再生をアップロードすることが含まれることが可能である。システムは、ユーザが、番号、題名、アーチスト、日付、または再生の時間の長さによってメディア再生を並べ替えることをさらに可能にすることができる。
【００５９】
さらに、システム内の各メディア再生は、ユーザの用途に合わせられることが可能である。単に非限定的な例として、図19に示される第1のメディア再生が、ダブルクリックされた場合、ユーザには、図20に示される記録センタが提示されることが可能である。単に非限定的な例として、このイントロ時間中、ユーザは、図20に示される記録センタにおいて、38秒のイントロに加えて他のオーディオを記録することができる。記録センタへとロードされたメディア再生は、図21に示されるように、記録センタ内の「エクスポート」ボタンをクリックすることによってエクスポートされることが可能である。メディアファイルは、たとえば、ネットワークファイルを含む複数のフォーマットにエクスポートされることが可能である。また、記録センタは、メディア再生の一部分が、記録センタから「新たなカット」ボタンをクリックすることにより、カットされる、またはそれ以外で再分割されて、図22に示されるとおり、ユーザによる、その新たなカットを保存するオプションを提供することを可能にすることもできる。
【００６０】
図18を再び参照すると、「新たなリスト」をクリックすることにより、システムは、たとえば、図23に示されるカテゴリ101に関するネットワークリストなどの、選択されたカテゴリに関するネットワークリストを提供することができる。ネットワークリストは、ユーザと一緒に配置されていない、または存在していないある特定のカテゴリ内のオーディオファイルへのリンクを提供することができる。単に非限定的な例として、カテゴリ101に関連するメディアファイルは、ユーザから遠隔に配置されていることが可能であり、カテゴリ101に関するネットワークリストを介して、ネットワーク接続を介してアクセスされることが可能である。図18を再び参照すると、「編集」ボタンをクリックすることにより、システムのユーザが、たとえば、カテゴリまたはカートのロケーションに関するある情報を編集することができるようになることが可能である。単に非限定的な例として、カテゴリ101が、選択され、ユーザが、そのカテゴリを編集することを選択した場合、図24に示されるウインドウが、提供されることが可能である。編集ウインドウは、ユーザが、たとえば、カテゴリ名、プレフィックス、題名、およびロケーションを編集することを可能にすることができる。
【００６１】
図4を再び参照すると、ユーザは、本発明の「ログ」フィーチャを選択することができる。図25に示されるとおり、ログは、メディアが再生された時間帯、メディアが再生された日付、メディアの題名、およびメディアが実行された時間の長さを含むことが可能である。たとえば、このログは、たとえば、日付、時刻、および/またはメディア作成者によって並べ替えられることが可能である。本システムのログは、既に行われたメディア再生を含むことが可能であり、あるいは現在、再生されている、または将来、再生されるメディア再生のリストを含むことが可能である。ログに含められることが可能なフィーチャには、たとえば、継続的なリスニングのためのフックまたは宣伝広告、ユーザにローカルではない遠隔の宣伝材料へのリンクを追加する能力が含まれることが可能である。ログは、図26に示されるオーディオファイルのセグメントを編集する能力をユーザにさらに提供することが可能である。「セグメント編集」ボタンをクリックすることにより、ユーザには、オーディオファイルの編集を可能にすることができるウインドウが提示されることが可能である。さらに、ユーザは、システムからメディアファイルをログリストに挿入することもできる。
【００６２】
図27に示されるとおり、ユーザは、図26に示される「挿入」ボタンをクリックすることにより、システム内のすべてのメディアファイルのリストを提示されることが可能である。図27に示される、システム内に含まれるすべてのメディア再生のすべてまたは一部分のリストアップは、たとえば、題名のアルファベット順、アーチストのアルファベット順、実行時間の長い方から順、タイプ別および年別を含め、多くの仕方で行われることが可能である。選択された曲は、図28に示されるとおり、任意の位置で再生リストに追加されることが可能である。単に非限定的な例として、ザフーターズによる、この曲、「And we danced」が、再生リストに挿入されるように選択された場合、挿入エラーが、再生リストの中で現れることが可能である。すると、ユーザは、ある特定の挿入シンボルを選択して、またはクリックして、ハイライトされた曲を再生リストに、その所望される位置で挿入することができる。再生リストへの挿入前に、ユーザは、選択されたメディアトラックが、再生リストの中で、どれだけの頻度で再生されてきたかを知ることを所望する可能性がある。曲が選択されている間、ユーザは、「時間数」ボタンを選択し、またはクリックして、図29に示されるとおり、たとえば、所与の週内に、そのトラックが再生された量に関する情報を提供されることが可能である。
【００６３】
図30に示されるとおり、本システム内のオプションには、スケジュールを作成する能力、リアルタイムイベントテーブルを作成する能力、システム内のタッチスクリーンをディセーブルにする能力、イベント禁止を解除する能力、ログをコピーする能力、カートレポータにアクセスする能力、名前付きスケジュールにアクセスする能力、電話レコーダにアクセスする能力、メディア再生をジャンプし、再びキューに入れる能力、メディア再生の冗長性にアクセスする能力、音声トラックを記録する能力、システムを構成する能力、およびネットワーク接続にアクセスする能力が含まれることが可能である。図31により完全に示されるとおり、システムは、システムのユーザによって受信される任意の発呼者の記録を可能にすることができる電話レコーダを提供することができる。電話エディタは、着信電話コールを記録している間、プレースマーカを設定して、編集している間、記録内で容易にジャンプするようにすることができる。さらに、システムのユーザと、システムへの着信発呼者とは、別々のトラック上で報告されて、これにより、トラックが、編集のためにロックされ、さらに/または分離され得るようになることが可能である。この機能は、図32に示されることが可能であるとおり、システムのユーザが、編集中に、効果を追加すること、ホットキーを再生すること、さらに/またはトラックを再記録することをさらにできるようにすることが可能である。さらに、電話レコーダは、図33から図38に示されるとおり、ユーザまたは発呼者による記録と関係するオプションを提供することもできる。
【００６４】
次に図30を再び参照すると、ユーザは、「ジャンプ+キュー」ボタンをクリックして、図39に示されるとおり、メディア再生を再びキューに入れる能力を提示されることが可能である。システムは、選定された以前に再生された、または再生されるようにスケジュールされたメディア再生が、システム内で再びキューに入れられることを可能にすることができる。
【００６５】
図30を再び参照すると、ユーザが、「音声トラック記録」ボタンをクリックした場合、ユーザには、図40に示される機能が提示されることが可能である。システムの、この機能は、ユーザが、ユーザの音声を、システム内に含まれるさまざまなメディア再生と併せて記録することを可能にすることができる。さらに、システムは、図41から図51までに示されているものや、本明細書においてその他の形で上述されているものなど、ユーザの音声の記録と関係する多くのオプションをユーザに与えることが可能である。やはり、図30を再び参照すると、本発明は、図52に示されるリアルタイムイベントテーブル、図53に示される複数の構成オプション、および図54に示されるネットワーク機能を提供することができる。
【００６６】
本発明の趣旨および範囲を逸脱することなく、本発明の多くの変形形態および変更形態が、実施されることが可能であることを、当業者は認識することができよう。このため、本発明は、本発明の、それらの変形形態および変更形態を、それらの変形形態および変更形態が、添付の特許請求の範囲、および均等の範囲に含まれるという条件付きで、範囲に含むものとされる。
【図面の簡単な説明】
【００６７】
【図１】本発明のある態様による通信システム100のアーキテクチャを示す図である。
【図２】図1のシステムをさらに示す図である。
【図３】本発明のある態様によるローカルプロキシを示す図である。
【図４】本発明の例示的な実施形態を示すスクリーンショットである。
【図５】本発明の例示的な実施形態を示すスクリーンショットである。
【図６】本発明の例示的な実施形態を示すスクリーンショットである。
【図７】本発明の例示的な実施形態を示すスクリーンショットである。
【図８】本発明の例示的な実施形態を示すスクリーンショットである。
【図９】本発明の例示的な実施形態を示すスクリーンショットである。
【図１０】本発明の例示的な実施形態を示すスクリーンショットである。
【図１１】本発明の例示的な実施形態を示すスクリーンショットである。
【図１２】本発明の例示的な実施形態を示すスクリーンショットである。
【図１３】本発明の例示的な実施形態を示すスクリーンショットである。
【図１４】本発明の例示的な実施形態を示すスクリーンショットである。
【図１５】本発明の例示的な実施形態を示すスクリーンショットである。
【図１６】本発明の例示的な実施形態を示すスクリーンショットである。
【図１７】本発明の例示的な実施形態を示すスクリーンショットである。
【図１８】本発明の例示的な実施形態を示すスクリーンショットである。
【図１９】本発明の例示的な実施形態を示すスクリーンショットである。
【図２０】本発明の例示的な実施形態を示すスクリーンショットである。
【図２１】本発明の例示的な実施形態を示すスクリーンショットである。
【図２２】本発明の例示的な実施形態を示すスクリーンショットである。
【図２３】本発明の例示的な実施形態を示すスクリーンショットである。
【図２４】本発明の例示的な実施形態を示すスクリーンショットである。
【図２５】本発明の例示的な実施形態を示すスクリーンショットである。
【図２６】本発明の例示的な実施形態を示すスクリーンショットである。
【図２７】本発明の例示的な実施形態を示すスクリーンショットである。
【図２８】本発明の例示的な実施形態を示すスクリーンショットである。
【図２９】本発明の例示的な実施形態を示すスクリーンショットである。
【図３０】本発明の例示的な実施形態を示すスクリーンショットである。
【図３１】本発明の例示的な実施形態を示すスクリーンショットである。
【図３２】本発明の例示的な実施形態を示すスクリーンショットである。
【図３３】本発明の例示的な実施形態を示すスクリーンショットである。
【図３４】本発明の例示的な実施形態を示すスクリーンショットである。
【図３５】本発明の例示的な実施形態を示すスクリーンショットである。
【図３６】本発明の例示的な実施形態を示すスクリーンショットである。
【図３７】本発明の例示的な実施形態を示すスクリーンショットである。
【図３８】本発明の例示的な実施形態を示すスクリーンショットである。
【図３９】本発明の例示的な実施形態を示すスクリーンショットである。
【図４０】本発明の例示的な実施形態を示すスクリーンショットである。
【図４１】本発明の例示的な実施形態を示すスクリーンショットである。
【図４２】本発明の例示的な実施形態を示すスクリーンショットである。
【図４３】本発明の例示的な実施形態を示すスクリーンショットである。
【図４４】本発明の例示的な実施形態を示すスクリーンショットである。
【図４５】本発明の例示的な実施形態を示すスクリーンショットである。
【図４６】本発明の例示的な実施形態を示すスクリーンショットである。
【図４７】本発明の例示的な実施形態を示すスクリーンショットである。
【図４８】本発明の例示的な実施形態を示すスクリーンショットである。
【図４９】本発明の例示的な実施形態を示すスクリーンショットである。
【図５０】本発明の例示的な実施形態を示すスクリーンショットである。
【図５１】本発明の例示的な実施形態を示すスクリーンショットである。
【図５２】本発明の例示的な実施形態を示すスクリーンショットである。
【図５３】本発明の例示的な実施形態を示すスクリーンショットである。
【図５４】本発明の例示的な実施形態を示すスクリーンショットである。
【符号の説明】
【００６８】
100  通信システム
110  環境
120  データ
130  契約者
140  地域ブロードキャストスタジオ
150  ハブ
160  送信機
【図１】
2009520277.tif 000003
【図２】
2009520277.tif 000004
【図３】
2009520277.tif 000005
【図４】
2009520277.tif 000006
【図５】
2009520277.tif 000007
【図６】
2009520277.tif 000008
【図７】
2009520277.tif 000009
【図８】
2009520277.tif 000010
【図９】
2009520277.tif 000011
【図１０】
2009520277.tif 000012
【図１１】
2009520277.tif 000013
【図１２】
2009520277.tif 000014
【図１３】
2009520277.tif 000015
【図１４】
2009520277.tif 000016
【図１５】
2009520277.tif 000017
【図１６】
2009520277.tif 000018
【図１７】
2009520277.tif 000019
【図１８】
2009520277.tif 000020
【図１９】
2009520277.tif 000021
【図２０】
2009520277.tif 000022
【図２１】
2009520277.tif 000023
【図２２】
2009520277.tif 000024
【図２３】
2009520277.tif 000025
【図２４】
2009520277.tif 000026
【図２５】
2009520277.tif 000027
【図２６】
2009520277.tif 000028
【図２７】
2009520277.tif 000029
【図２８】
2009520277.tif 000030
【図２９】
2009520277.tif 000031
【図３０】
2009520277.tif 000032
【図３１】
2009520277.tif 000033
【図３２】
2009520277.tif 000034
【図３３】
2009520277.tif 000035
【図３４】
2009520277.tif 000036
【図３５】
2009520277.tif 000037
【図３６】
2009520277.tif 000038
【図３７】
2009520277.tif 000039
【図３８】
2009520277.tif 000040
【図３９】
2009520277.tif 000041
【図４０】
2009520277.tif 000042
【図４１】
2009520277.tif 000043
【図４２】
2009520277.tif 000044
【図４３】
2009520277.tif 000045
【図４４】
2009520277.tif 000046
【図４５】
2009520277.tif 000047
【図４６】
2009520277.tif 000048
【図４７】
2009520277.tif 000049
【図４８】
2009520277.tif 000050
【図４９】
2009520277.tif 000051
【図５０】
2009520277.tif 000052
【図５１】
2009520277.tif 000053
【図５２】
2009520277.tif 000054
【図５３】
2009520277.tif 000055
【図５４】
2009520277.tif 000056
【国際調査報告】
2009520277.tif 000057